(57)【要約】【課題】工具を用いずに自在方式と固定方式とを切り換えることができるようにする。【解決手段】解錠操作によって解錠符号列の記憶が解除される第１の記憶方式と、解錠操作に対して解錠符号列の記憶が保持される第２の記憶方式とを切り換えるための切換機構８を具備している。切換機構８は、筐体１２の底板部１８に少なくとも９０度の角度範囲にわたって円弧状に形成された摺動溝８１と、摺動溝８１に摺動自由に係合させた撮み軸８２と、撮み軸８２の摺動により軸回転するカムとを含んでいる。撮み軸８２が摺動溝８１の自在端８１ｂに位置するとき、カムの作用によって第１の記憶方式に設定され、撮み軸８２が摺動溝８１の固定端８１ａに位置するとき、カムの作用により第２の記憶方式に設定される。【選択図】図２
2010037816.tif 000002
【特許請求の範囲】
【請求項１】
軸方向へ往復動可能な作動軸と、作動軸上に回動可能に支持される複数個のダイヤルと、作動軸上の各ダイヤルの位置に対応して配置されるロックギヤが各ダイヤルと係合することにより解錠符号列を記憶する記憶機構とを備え、外部からのダイヤル操作が可能なように、各ダイヤル、作動軸、およびロックギヤが筐体内に収容配備されて成る符号錠装置において、
施錠操作に作動軸を連動させて一方向へ往動させることにより全てのロックギヤが各ダイヤルと係合して施錠操作前に設定した解錠符号列を記憶し、解錠操作に作動軸を連動させて反対方向へ復動させることによって全てのロックギヤと各ダイヤルとの係合を解いて解錠符号列の記憶を解除する第１の記憶方式と、作動軸を一方向へ往動させたときの状態を保持することにより予め決められた固定の解錠符号列の記憶を保持する第２の記憶方式とを切り換える切換機構を具備して成り、
前記切換機構は、外周の半周面が押圧面、残りが押圧解除面になっている軸回転が可能な半軸状のカムと、カムの外周方向へ張り出すカムと一体の駆動プレートと、駆動プレートの外周部に設けられた撮み軸と、筐体の底板部に少なくとも９０度の角度範囲にわたって円弧状に形成され前記撮み軸を摺動自由に係合させる摺動溝と、作動軸の先端部に設けられるブッシュとを含み、前記カムは、撮み軸が摺動溝の一端に位置するとき、押圧面がブッシュを押圧することにより作動軸を往動させたときの状態に保持し、撮み軸が摺動溝の他端に位置するとき、押圧解除面がブッシュに対向して押圧面による押圧を解除することにより作動軸の復動を可能とするようにした符号錠装置。
【請求項２】
請求項１に記載された符号錠装置であって、カムの外周にバネ部材を介して設けられる係合凸部と、バネ部材が弾性変形した状態で係合凸部が当接して摺動する周回ガイドとをさらに備え、前記周回ガイドには、撮み軸が摺動溝の一端または他端に位置するときに係合凸部が係入する係合凹部が形成されて成る符号錠装置。
【発明の詳細な説明】
【技術分野】
【０００１】
この発明は、ロッカーやキャビネットなどに組み込まれる複数個のダイヤルをもつ符号錠装置に関し、特にこの発明は、施錠操作毎に解錠符号列を設定して記憶させ解錠操作毎に解錠符号列の記憶を解除する第１の記憶方式と、解錠操作があっても解錠符号列の記憶を解除せずに予め決められた解錠符号列の記憶を保持する第２の記憶方式とを切り換えることができる符号錠装置に関する。
【背景技術】
【０００２】
従来、符号錠装置として、施錠操作の度に、複数個のダイヤルにより解錠符号列を設定する方式（以下、「自在方式」という。）のものが存在する（例えば、特許文献１参照。）。ここで、「解錠符号列」とは、符号錠装置を解錠するのに必要な各ダイヤルの符号の並びをいう。例えば、４個のダイヤルをもつ符号錠装置において、ダイヤルの符号が「０」〜「９」の数字で構成されている場合、解錠符号列は４桁の数字になる。なお、以下の説明において、解錠符号列を構成する各ダイヤルの符号を単に「解錠符号」という場合がある。
【０００３】
【特許文献１】特開平９−３１７２７１号公報
【０００４】
例えば、自在方式の符号錠装置が組み込まれたロッカーでは、ロッカー使用者は、施錠時にダイヤル操作して好みの解錠符号列を定めて整列させた後、撮みを掴んで回動操作する。この撮み操作に掛止片が連動し、扉に設けられた受け金具に係合する。その後、ダイヤル操作により解錠符号列を崩すことにより施錠状態が得られる。
解錠に際しては、施錠時に設定した解錠符号列をダイヤル操作により整列させた後、撮みや鍵を掴んで前記と反対方向へ回動操作する。この操作に掛止片が連動して受け金具より外れることにより、ロッカーの扉を開放することが可能となる。
【０００５】
自在方式の符号錠装置は、例えば、不特定人に貸与されるロッカーのように、使用者が日毎変わるような用途に適している。一方、予め決められた解錠符号列に固定されているタイプ（以下、「固定方式」という。）の符号錠装置も存在するが、この固定方式の符号錠装置は、使用者が日毎変わるような用途には不向きであり、例えば、特定人に長く貸与されるロッカーにように、使用者が殆ど変わらないような用途に適している。
【発明の開示】
【発明が解決しようとする課題】
【０００６】
従来、自在方式と固定方式とを切り換えることのできる符号錠装置は製品化されておらず、そのために、メーカーではユーザーからの発注に備えて自在方式の符号錠装置と固定方式の符号錠装置とをそれぞれ別個に製作して在庫しており、在庫管理が煩雑であった。また、符号錠装置が組み込まれたロッカーなどを用途に対応させるために、いったん組み込んだいずれかの方式の符号錠装置を別の方式の符号錠装置に取り替えることが必要となる場合もある。
【０００７】
上記した課題を解決するために、出願人は先般、簡単な工具を用いて自在方式と固定方式とのいずれかに切り換えることができる符号錠装置を開発したが、切換操作に工具が必要であるうえに、工具を使っての切換操作がやりずらいため、切換機構の改良が要望されていた。
【０００８】
この発明は、上記の要望に応えるもので、工具を用いることなく自在方式と固定方式とを簡単に切り換えることができる符号錠装置を提供することを目的とする。
【課題を解決するための手段】
【０００９】
この発明は、軸方向へ往復動可能な作動軸と、作動軸上に回動可能に支持される複数個のダイヤルと、作動軸上の各ダイヤルの位置に対応して配置されるロックギヤが各ダイヤルと係合することにより解錠符号列を記憶する記憶機構とを備え、外部からのダイヤル操作が可能なように、各ダイヤル、作動軸、およびロックギヤが筐体内に収容配備されて成る符号錠装置において、施錠操作に作動軸を連動させて一方向へ往動させることにより全てのロックギヤが各ダイヤルと係合して施錠操作前に設定した解錠符号列を記憶し、解錠操作に作動軸を連動させて反対方向へ復動させることによって全てのロックギヤと各ダイヤルとの係合を解いて解錠符号列の記憶を解除する第１の記憶方式と、作動軸を一方向へ往動させたときの状態を保持することにより予め決められた固定の解錠符号列の記憶を保持する第２の記憶方式とを切り換える切換機構を具備して成るものである。
前記切換機構は、外周の半周面が押圧面、残りが押圧解除面になっている軸回転が可能な半軸状のカムと、カムの外周方向へ張り出すカムと一体の駆動プレートと、駆動プレートの外周部に設けられた撮み軸と、筐体の底板部に少なくとも９０度の角度範囲にわたって円弧状に形成され前記撮み軸を摺動自由に係合させる摺動溝と、作動軸の先端部に設けられるブッシュとを含み、前記カムは、撮み軸が摺動溝の一端に位置するとき、押圧面がブッシュを押圧することにより作動軸を往動させたときの状態に保持し、撮み軸が摺動溝の他端に位置するとき、押圧解除面がブッシュに対向して押圧面による押圧を解除することにより作動軸の復動を可能としている。
【００１０】
上記した構成の符号錠装置において、切換機構の撮み軸が円弧状の摺動溝の一端に位置させるとき、カムの押圧面がブッシュを押圧することにより作動軸を往動させたときの状態に保持するもので、これにより、予め決められた解錠符号列の記憶を保持する第２の記憶方式に設定される。
この第２の記憶方式が設定された状態において、施錠に際して各ダイヤルを回して予め決められた解錠符号列を揃えるとき、作動軸は往動したときの状態が保持されているので、各ロックギヤと各ダイヤルとが係合しており、各ダイヤルはロックギヤと一体に回動する。各ダイヤルの符号が解錠符号列に揃えられた後、施錠操作が行われ、さらに、解錠符号列が崩されると、施錠状態となる。
【００１１】
解錠に際して各ダイヤルを回して解錠符号列を揃えるとき、各ロックギヤと各ダイヤルとが係合しているので、各ダイヤルはロックギヤと一体に回動する。各ダイヤルの符号が解錠符号列に揃えられると、解錠操作が許容されるが、解錠符号列に揃えられないと、解錠操作が規制される。解錠符号列を揃えられた後、解錠操作を行ったとき、作動軸は往動したときの状態が保持され、各ロックギヤと各ダイヤルとは係合したままであるので、解錠符号列の記憶が保持される。
【００１２】
一方、撮み軸を摺動溝に沿って摺動させて摺動溝の他端に位置させるとき、ブッシュは押圧解除面がブッシュに対向して押圧面による押圧が解除され、作動軸の復動が可能となるので、解錠操作によって解錠符号列の記憶が解除される第１の記憶方式に設定される。
【００１３】
第１の記憶方式が設定された状態において、施錠に際して各ダイヤルを回して任意の解錠符号列を設定すると、解錠状態では、各ロックギヤと各ダイヤルとが係合していないので、各ダイヤルは単独で回動し、任意の解錠符号列の設定が可能である。解錠符号列を設定した後、施錠操作を行うと、この施錠操作に作動軸が連動して作動軸が一方向へ往動することにより各ロックギヤと各ダイヤルとが係合して施錠操作前に設定した解錠符号列が記憶され、さらに、解錠符号列が崩されると、施錠状態となる。
【００１４】
解錠に際して各ダイヤルを回して解錠符号列を揃えると、施錠状態では、各ロックギヤと各ダイヤルとが係合しているので、各ダイヤルはロックギヤと一体に回動する。各ダイヤルの符号が解錠符号列に揃えられると、解錠操作が許容されるが、解錠符号列に揃えられないと、解錠操作が規制される。
解錠符号列を揃えられた後、解錠操作を行ったとき、この解錠操作に作動軸が連動して反対方向へ復動することにより各ロックギヤと各ダイヤルとの係合が外れ、解錠符号列の記憶が解除される。
【００１５】
この発明の好ましい一実施態様においては、カムの外周にバネ部材を介して設けられる係合凸部と、バネ部材が弾性変形した状態で係合凸部が当接して摺動する周回ガイドとをさらに備え、前記周回ガイドには、撮み軸が摺動溝の一端または他端に位置するときに係合凸部が係入する係合凹部が形成されて成る。
【００１６】
この実施態様によると、撮み軸を操作して摺動溝を摺動させると、バネ部材が弾性変形した状態で係合凸部が周回ガイドに当接して摺動するもので、係合凸部にバネ部材の復元力が作用し、撮み軸の操作に適度な負荷が掛かる。撮み軸が摺動溝の一端または他端に達したとき、係合凸部が係合凹部に係入するので、撮み軸がその位置で定位し、撮み軸が動いてカムが不用意に回動することがない。
【発明の効果】
【００１７】
この発明によると、施錠操作の度に解錠符号列を設定する方式と、予め決められた解錠符号列に固定される方式とのいずれかを選択して切り換えることを可能としたから、用途に応じた使い分けが可能となり、利便性が大幅に向上する。また、両方式の符号錠装置を別個に製作して在庫する必要がなく、在庫管理が容易である。さらに、工具を用いることなく撮み軸を摺動溝に沿って摺動させるだけで自在方式と固定方式とを簡単に切り換えることができる。
【発明を実施するための最良の形態】
【００１８】
図１および図２は、この発明の一実施例である符号錠装置の外観を示している。この符号錠装置は、例えば、貸ロッカーなどの扉に取り付けられる。施錠および解錠に際して、掛止片１が９０度の角度範囲で正逆回動し、ロッカー本体に取り付けられた受け金具１０に係脱する。
【００１９】
なお、以下の説明において、掛止片１が受け金具１０に係合した状態を「閉状態」、この「閉状態」がロック保持されている状態を「施錠状態」、ロック解除された状態を「解錠状態」、掛止片１が受け金具１０より外れた状態を「開状態」という。また「開状態」から「施錠状態」へ至る人手による操作を「施錠操作」、「閉状態」から「解錠状態」を経て「開状態」へ至る人手による操作を「解錠操作」という。
【００２０】
図示例の符号錠装置は、解錠操作の度に解錠符号列の記憶を解除することにより施錠操作の度に解錠符号列を設定する第１の記憶方式（以下、「自在方式」という。）と、解錠操作があっても解錠符号列の記憶を保持して解錠符号列を固定する第２の記憶方式（以下、「固定方式」という。）とを選択して切り換えることが可能となっている。
【００２１】
図１において、１１は筐体１２の上面開口を塞ぐ前面プレートであり、板面の一端部寄りに円形の開口部１３が、中央部から他端部にかけて４個の窓孔１４が、それぞれ設けてある。開口部１３の位置には撮み２０による施錠および解錠の各操作に応動するアクチュエータ２が、４個の窓孔１４の位置には解錠符号列を整列させるためのダイヤル機構が、それぞれ組み込まれている。撮み２０は開口部１３より前面プレート１１上へ突出している。各窓孔１４より前面プレート１１上に４個のダイヤル４のダイヤル操作部４２が突出している。ダイヤル操作部４２には「０」〜「９」の１０個の符号４３が表されている。
【００２２】
筐体１２の底板部１８には、図２に示すように、自在方式と固定方式とを切り換えるための切換機構８の切換操作部８０が設けられている。切換操作部８０は、９０度の角度範囲にわたって円弧状に形成された摺動溝８１に撮み軸８２を摺動自由に係合して構成されたものである。撮み軸８２を摺動溝８１の一端に位置させると「自在方式」に、他端に位置させると「固定方式」に、それぞれセットされる。
【００２３】
図３〜図１０は、「開状態」から「閉状態」へ移行させるときの筐体１２内部の機構の状態を示すもので、図３〜図６には「自在方式」にセットされた状態下での内部機構の状態が、図７〜図１０には「固定方式」にセットされた状態下での内部機構の状態が、それぞれ示してある。
図示例の符号錠装置は、施錠と解錠および解錠符号列の記憶を可能とするために、アクチュエータ２、作動軸３、４個のダイヤル４、４個のロックギヤ５、解錠符号列の記憶機構６、往復動機構７、ロック機構９、切換機構８、およびダイヤル間欠送り機構１９などを含んでいる。
【００２４】
（１）アクチュエータ２の構成
アクチュエータ２は、解錠操作および施錠操作に応動するもので、支持板１５で区画された一方の空間Ａ内に筒状体２１が回動可能に支持されて成る。筒状体２１の上端には撮み２０が取り付けられ、この撮み２０を撮んで正逆いずれかの方向へ回動操作すると、筒状体２１が一体に回動する。
【００２５】
この実施例の筒状体２１は内筒２１ａと外筒２１ｂとで構成され、内筒２１ａの内部の外筒２１ｂとの間に複数のディスクタンブラーより成るシリンダー錠の機構が組み込まれている。ディスクタンブラーは、外筒２１ｂに対する内筒２１ａの回動を規制するためのもので、撮み２０に設けられた鍵孔２９より内筒２１ａ内へマスター鍵が挿入されていない状態では、ディスクタンブラーが内筒２１ａと外筒２１ｂとの間に介在し、内筒２１ａと外筒２１ｂとが係合した状態にある。解錠符号列が忘れられたときなどにマスター鍵が挿入されると、全てのディスクタンブラーが内筒２１ａ内に退避することで内筒２１ａと外筒２１ｂとの係合が外れ、外筒２１ｂ内で内筒２１ａが回動可能となる。
なお、このような構成のシリンダー錠はすでに公知であって、ここでは錠機構についての詳細な説明は省略する。
【００２６】
内筒２１ａには取付軸２２を介して掛止片１が取り付けられている。撮み２０の操作により筒状体２１を回動すると、掛止片１が筒状体２１と一体に９０度の角度範囲だけ回動する。
外筒２１ｂの外周面には、筒状体２１が「開状態」の角度位置にあるときに作動軸３の方向を向く凹面２３と、筒状体２１が「開状態」または「閉状態」の角度位置にあるときに後述するロックプレート９０の規制片９２の方向を向く２つの係合部２５，２６とが設けてある。凹面２３は、作動軸３の先端に取り付けられた前部ブッシュ３０が一体で嵌まる大きさに形成されており、外筒２１ｂの外周面を凸面２４とする凹凸カム面を構成する。この凹凸カム面は後述する往復動機構７を、前記の係合部２５，２６は後述するロック機構９を、それぞれ構成する。
【００２７】
（２）作動軸３の構成
作動軸３は、アクチュエータ２と直交する方向に水平に設けられ、作動軸３の先端部には前部ブッシュ３０が嵌められている。前部ブッシュ３０は支持板１５に開設された軸受孔（図示せず）に支持され、作動軸３の基端部は軸受１６に支持されている。作動軸３はアクチュエータ２と直交する水平方向に往復動可能である。
作動軸３の軸周面には、一定間隔毎に５枚のリング状の仕切板３１〜３５がそれぞれ一体に装着されるとともに、隣り合う仕切板間に合成樹脂製の中間ブッシュ５４が嵌められている。作動軸３の基端部寄りの仕切板３５と軸受１６との間には圧縮バネ３６が配備され、そのバネ圧によって作動軸３を常時、アクチュエータ２の方向へ付勢している。前記圧縮バネ３６は、後述する往復動機構７を構成している。
【００２８】
前部ブッシュ３０は、図１１および図１２に示すように、後面が開放された合成樹脂製の筒状部材であり、前部ブッシュ３０の後面には、作動軸３と一体の仕切板３１の外形に適合する形状および大きさの凹溝３７が形成されている。前部ブッシュ３０は、長さ方向に貫通する支持孔３８を有し、作動軸３の先端部が前記支持孔３８に嵌め込まれている。
なお、図中、３９は切換機構８を構成する半軸状のカム８３の押圧面８３ａにより押圧を受ける当たり面であり、詳細は後述するが、カム８３の押圧面８３ａが当たり面３９を押して前部ブッシュ３０をアクチュエータ２に対して反対方向へ強制移動させる。
【００２９】
（３）ダイヤル４とロックギヤ５の構成
４個の各ダイヤル４は、作動軸３上の決められた等間隔位置にそれぞれロックギヤ５を介して回動可能に支持されている。各ダイヤル４は、図１３〜図１５に示すように、ダイヤル本体４０の外周面の等角度位置毎に「０」〜「９」の符号４３が表され、ダイヤル操作部４２が構成されている。ダイヤル本体４０の側面には、ダイヤル間欠送り機構１９を構成するボス部４４が一体に設けられている。
【００３０】
ボス部４４の外周縁には符号数に相当する数（１０個）の谷部４５が形成されており、各ダイヤル４のボス部４４と対応させて設けられるＵ字形状のばね部材１７とともにダイヤル間欠送り機構１９を構成している。ダイヤル間欠送り機構１９は、各ダイヤル４の回動操作に対してダイヤル４を符号の配列角度ずつ間欠送りして前面プレート１１の窓孔１４に「０」〜「９」の各符号を順次定位させるものである。
ダイヤル間欠送り機構１９の各ばね部材１７は、基端が適所に固定され、その先端部には一対の押圧部１７Ａ，１７Ｂが構成されている。押圧部１７Ａ，１７Ｂはボス部４４の外周縁にそれぞれ押し当てられており、ダイヤル４の自由回動が規制されている。ダイヤル４のダイヤル操作部４２を手操作してダイヤル４を回すと、ばね部材１７の各押圧部１７Ａ，１７Ｂがボス部４４の各谷部４５と順次係合することにより、ダイヤル４が所定の回動角度位置に順次止まり、前面プレート１１の窓孔１４に「０」〜「９」の符号が順次出現する。
【００３１】
各ロックギヤ５は、作動軸３上の各仕切板３１〜３５の内側位置に、隣り合うロックギヤ５と互いに当接するとともに、中間ブッシュ５４を介してそれぞれが回動可能に支持されている。各ダイヤル４のダイヤル本体４０の内周面には、符号数に一致する数（１０個）の嵌合溝４６が等角度間隔で一周配置して成る溝列４１が形成されている（図１３）。一方、各ロックギヤ５の前端部の外周面には、図１６〜図１９に示すように、ダイヤル４の嵌合溝４６と嵌合可能な嵌合突子５１が等角度間隔で符号数に一致する数（１０個）だけ一周配置されて成る突子列５０が形成されている。
【００３２】
ロックギヤ５がダイヤル４に向けて移動して、ロックギヤ５の各嵌合突子５１とダイヤル４の各嵌合溝４６とが噛み合ったとき、ダイヤル４とロックギヤ５とが結合して一体回動が可能となる。これに対して、ロックギヤ５がダイヤル４から離れてロックギヤ５の各嵌合突子５１とダイヤル４の各嵌合溝４６との噛み合いが外れたとき、ダイヤル４はロックギヤ５との係わりが切れ、単独で回動可能となる。
【００３３】
各ロックギヤ５の後端部の外周面に凹部５２が形成されている。この凹部５２は後述するロック機構９（図２６〜図２８）を構成し、ロック機構９の検出片９１の先端部９１ａが嵌まる大きさに形成されている。各ロックギヤ５は、ロックギヤ５がダイヤル４から離れて係わりが切れている状態（解錠符号列の設定操作が可能な状態）では、凹部５２が常時、同じ回動角度位置に定位する。
【００３４】
（４）解錠符号列の記憶機構６の構成
解錠符号列の記憶機構６は解錠符号列を記憶させるための機構であり、各ダイヤル４と各ロックギヤ５とが上記した噛合部を介していずれかの嵌合角度位置で噛み合うことにより解錠符号列を記憶する。ロックギヤ５に対するダイヤル４の嵌合角度位置、すなわちロックギヤ５の突子列５０とダイヤル本体４０の溝列４１との噛み合い角度位置は、符号数に一致する数だけ存在するもので、従って、両者の噛み合い角度位置に応じて解錠符号を１０とおり記憶することが可能である。
【００３５】
図示例の記憶機構６は、各ダイヤル４のダイヤル本体４０の内周面に形成された前記溝列４１と、各ロックギヤ５の前端部の外周面に形成された突子列５０と、解錠符号列の設定操作が可能な状態、すなわち、ロックギヤ５とダイヤル４との係わりが切れた状態と、解錠符号列が記憶された状態、すなわち、ロックギヤ５とダイヤル４とが係わった状態とを形成するための往復動機構７とで構成される。
【００３６】
往復動機構７は、アクチュエータ２の作動に応動して作動軸３を所定のタイミングで所定の変位量だけ往復移行させることにより、全てのロックギヤ５を一斉に往復変位させる機構であり、筒状体２１の外筒２１ｂの外周面に形成された前記凹凸カム面と、作動軸３の先端部分に嵌められた前部ブッシュ３０と、作動軸３をアクチュエータ２の方向へ付勢する圧縮バネ３６とを含んでいる。前部ブッシュ３０は、圧縮バネ３６の付勢力によりその先端部が筒状体２１の外筒２１ｂの外周面に当接し、その後端部は先頭のロックギヤ５に当接する。各ロックギヤ５は、作動軸３の各仕切板３１〜３５の内側位置にそれぞれ配備されており、各ロックギヤ５の後端面に形成されたリング溝５３（図１７および図１９）に作動軸３の仕切板３２〜３５がそれぞれ嵌合する。
【００３７】
「自在方式」に設定された状態下において、「開状態」のときは、図３および図４に示すように、外筒２１ｂの凹面２３が作動軸３の方向に対応位置する。作動軸３は圧縮バネ３６のバネ力により押され、前部ブッシュ３０の先端部が外筒２１ｂの凹面２３へ嵌入している。この嵌入状態のとき、作動軸３はアクチュエータ２の側へ変位している。作動軸３がアクチュエータ２側へ変位すると、各ロックギヤ５は、その後端部が作動軸３の各仕切板３２〜３５によりそれぞれ押されることにより、アクチュエータ２の側へ一斉に変位する。
【００３８】
「開状態」から「閉状態」へ移行するとき、前部ブッシュ３０の先端部は外筒２１ｂの外周面の凸面２４に乗り上がる。この乗り上がった状態のとき、作動軸３は前部ブッシュ３０を介して圧縮バネ３６のバネ力に抗して押され、アクチュエータ２に対して反対方向へ変位する。また、前部ブッシュ３０の後端部により先頭のロックギヤ５が押され、これと連なった他のロックギヤ５も押されることにより、全てのロックギヤ５が一斉にアクチュエータ２に対して反対方向へ変位する。
【００３９】
「閉状態」になると、図５および図６に示すように、前部ブッシュ３０の先端部は外筒２１ｂの凸面２４に乗り上がった状態のままであり、各ロックギヤ５はアクチュエータ２に対して反対方向へ変位した状態を維持する。
【００４０】
図３および図４に示す「開状態」のとき、各ロックギヤ５はアクチュエータ２の側へ変位した状態にあるので、各ダイヤル本体４０の嵌合溝４６と各ロックギヤ５の嵌合突子５１とは噛み合っておらず、各ダイヤル４と各ロックギヤ５との係わりは切れている。これにより、「開状態」のときの各ダイヤル４は、それ単独で回動することが可能な状態にあり、任意の解錠符号を設定できる。
【００４１】
撮み２０を回して「開状態」から「閉状態」へ移行させるとき、各ロックギヤ５はアクチュエータ２と反対側へ変位した状態にあり、各ダイヤル４の嵌合溝４６と各ロックギヤ５の嵌合突子５１とが噛み合って係わり合うので、設定された解錠符号列が記憶される。
図５および図６に示す「閉状態」のとき、各ロックギヤ５はアクチュエータ２と反対側へ変位した状態に保持されており、各ダイヤル４の嵌合溝４６は各ロックギヤ５の嵌合突子５１と噛み合い、解錠符号列が記憶された状態が維持されている。
【００４２】
次に、各ダイヤル４を回して各ダイヤル４の符号を解錠符号列に揃えた後、解錠操作を行うと、筒状体２１が回動して外筒２１ｂの外周面の凹面２３が作動軸３の方向に対応位置する。これにより前部ブッシュ３０の先端部が外筒２１ｂの凹面２３へ嵌入し作動軸３は圧縮バネ３６のバネ力により押されてアクチュエータ２の側へ変位して各ロックギヤ５と各ダイヤル４との噛み合いが外れ、解錠符号列の記憶が解除される。
【００４３】
（５）切換機構８の構成
切換機構８は、解錠操作毎に施錠操作時に設定した解錠符号列の記憶が解除される「自在方式」と、解錠操作があっても予め決められた解錠符号列の記憶が保持される「固定方式」とを切り換えるためのものであり、図２に示された切換操作部８０を構成する円弧状の摺動溝８１および撮み軸８２と、図２０および図２１に示す構成、すなわち、先端部に半軸状のカム８３を有する駆動軸８４、駆動軸８４と一体の駆動プレート８５、前記した前部ブッシュ３０、および切換保持機構８６とを含んでいる。
【００４４】
半軸状のカム８３は外周面の半周部分が押圧面８３ａ、残りの部分が直径線に沿うフラットな押圧解除面８３ｂになっており、カム８３が前部ブッシュ３０の当たり面３９に対応位置するように駆動軸８４が筐体１２の底板部１８および図示しないガイド部材の軸受部に回動可能に支持されている。
カム８３は、撮み軸８２が摺動溝８１の一端（図２の「固定」の文字が表示されている端部、以下「固定端」という。）８１ａに位置するとき、図２０（２）および図２１（２）に示すように、押圧面８３ａが前部ブッシュ３０の当たり面３９に当接して押圧することにより作動軸３を往動させたときの状態に保持し、撮み軸８２が摺動溝８１の他端（図２の「自在」の文字が表示されている端部、以下「自在端」という。）８１ｂに位置するとき、図２０（１）および図２１（１）に示すように、押圧解除面８３ｂが前部ブッシュ３０の当たり面３９に対向して前記押圧面８３ａによる押圧を解除することにより作動軸３の復動を可能とする。
【００４５】
駆動プレート８５は、駆動軸８４の基端部に一体に設けられ、図２４に示すように、ほぼ１８０度の角度範囲にわたって外周方向へ張り出し、平面形状が半円形状をなしている。駆動プレート８５の外周部の裏面には、中心線ｃ上に丸軸状の撮み軸８２が突設されるとともに、撮み軸８２を挟む両側に反対方向を向く矢印Ｐ，Ｑがそれぞれ表されている。撮み軸８２が摺動溝８１の自在端８１ｂに位置するとき（図２に示す状態）、摺動溝８１に固定端８１ａに向かう矢印Ｐが出現し、撮み軸８２が摺動溝８１の固定端８１ａに位置するとき（図示せず）、自在端８１ｂに向かう矢印Ｑが摺動溝８１に出現する。
【００４６】
切換保持機構８６は、駆動軸８４の外周面に装着された円盤状の合成樹脂板８７を構成として含むものである。この合成樹脂板８７は、図２２および図２５に示すように、周方向に沿う一対の板バネ部材８８ａ，８８ｂを備え、各板バネ部材８８ａ，８８ｂの先端部の対角位置に係合凸部８９ａ，８９ｂが一体形成されている。筐体１２の底板部１８の内側には、図２３に示すように、孔部１０４が形成されたガイド部材１００が配備され、孔部１０４の内周面を合成樹脂板８７の外周に沿う周回ガイド１０１となしている。周回ガイド１０１には合成樹脂板８７の各板バネ部材８８ａ，８８ｂが弾性変形した状態で係合凸部８９ａ，８９ｂが当接して摺動する。周回ガイド１０１の９０度等角の位置には、撮み軸８２が摺動溝８１の自在端８１ｂに位置するときに係合凸部８９ａ，８９ｂが係入する係合凹部１０２ａ，１０２ｂおよび固定端８１ａに位置するときに係合凸部８９ａ，８９ｂが係入する係合凹部１０３ａ，１０３ｂがそれぞれ形成されている。
【００４７】
（６）ロック機構９の構成
ロック機構９は、各窓孔１４に現れる各ダイヤル４の符号４３がすべて解錠符号であるとき（解錠符号列が揃ったとき）、施錠および解錠の各操作に伴うアクチュエータ２の回動を許容し、いずれかダイヤル４の符号４３が解錠符号でないとき（解錠符号列が崩れているとき）、アクチュエータ２の回動を規制するものである。
この実施例のロック機構９は、各ロックギヤ５の外周面に形成された凹部５２と、図２６に示す形状のロックプレート９０と、アクチュエータ２の筒状体２１の外筒２１ｂの外周面の２箇所に形成された係合部２５，２６とで構成されている。
【００４８】
ロックプレート９０は、全てのダイヤル４について窓孔１４に解錠符号が出現する回動角度位置にあるかどうかを検出するための４個の検出片９１と、これらの検出片９１によって全てのダイヤル４が窓孔１４に解錠符号が出現する角度位置にあることが検出されないとき、すなわち、解錠符号列が揃っていないとき、施錠および解錠の各操作に伴うアクチュエータ２の回動を規制する規制片９２とを含んでいる。
【００４９】
前記の各検出片９１は、前記作動軸３と平行な回動軸９３に各ロックギヤ５と対応させて設けられている。各ロックギヤ５の凹部５２は、ロックギヤ５がダイヤル４から離れて係わりが切れている状態においては常に同じ回動角度位置に定位しているので、ダイヤル４とロックギヤ５とを噛み合わせて係合させることにより設定される解錠符号が窓孔１４に出現する状態においても同じ回動角度位置に位置する。従って、全てのダイヤル４が窓孔１４に解錠符号が出現する回動角度位置にあると、図２７に示すように、全ての検出片９１の先端部９１ａが各ロックギヤ５の凹部５２に嵌り込み、回動軸９３が矢印ｐで示す方向に回動した状態、すなわち、解錠符号列の検出状態となる。
【００５０】
一方、いずれかのダイヤル４が窓孔１４に解錠符号以外の符号が出現する回動角度位置にあるときには、図２８に示すように、そのダイヤル４と噛み合うロックギヤ５の凹部５２に検出片９１の先端部９１ａが嵌り込まず、ロックギヤ５の外周面に乗り上がる。その結果、他のダイヤル４のロックギヤ５についても凹部５２に検出片９１の先端部９１ａが嵌り込まず外周面に乗り上がるので、回動軸９３が矢印ｑで示す方向に回動した状態、すなわち、解錠符号列の未検出状態となる。
【００５１】
前記回動軸９３は、両端部が回動自由に支持されており、回動軸９３の一端部は、アクチュエータ２が装備された空間Ａ内に突出し、その突出端に規制片９２が設けられている。この規制片９２とアクチュエータ２の外筒２１ｂの２箇所に形成された係合部２５，２６とでアクチュエータ２の回動を規制する機構が形成されている。前記規制片９２は回動軸９３の正逆回動によりいずれかの係合部２５，２６と係脱する。
【００５２】
前記規制片９２は、図２６〜図２８に示すように、その一端部に係合山部９４Ａ，９４Ｂおよび係合谷部９４Ｃを有している。一方、外筒２１ｂの外周面の各係合部２５，２６は、前記係合山部９４Ａ，９４Ｂおよび係合谷部９４Ｃに対応する位置に谷部２５Ａ，２５Ｂ，２６Ａ，２６Ｂおよび山部２５Ｃ，２６Ｃが形成してあり、規制片９２の係合山部９４Ａ，９４Ｂおよび係合谷部９４Ｃがいずれかの係合部２５，２６の谷部２５Ａ，２５Ｂ，２６Ａ，２６Ｂおよび山部２５Ｃ，２６Ｃと係合すると、アクチュエータ２の回動が規制される。
【００５３】
「自在方式」が設定された状態下での「閉状態」のとき、および「固定方式」が設定された状態下での「開状態」または「閉状態」のとき、解錠符号が４個並んだ状態（解錠符号列が揃った状態）にあれば、各ロックギヤ５の凹部５２が全て決められた同じ角度位置に位置し、全ての検出片９１の先端部９１ａが対応するロックギヤ５の凹部５２に嵌り込むので、回動軸９３が所定の方向に回動変位した状態にあり、規制片９２はいずれの係合部２５，２６とも係合しない（図５、図７、および図９参照）。これによりアクチュエータ２の作動規制が解除され、施錠操作や解錠操作が可能となる。
【００５４】
これに対して、解錠符号が４個並んでいない状態（解錠符号列が揃っていない状態）にあれば、いずれの検出片９１の先端部９１ａもロックギヤ５の凹部５２に嵌り込まず、ロックギヤ５の外周面に乗り上がるので、回動軸９３が前記とは逆方向に回動変位した状態にあり、規制片９２はいずれかの係合部２５，２６に係合する。これによりアクチュエータ２の作動が規制されて施錠操作や解錠操作が困難となる。
【００５５】
なお、「自在方式」が設定された状態下での「開状態」のときは、ロックギヤ５はダイヤル４から離れて係わりが切れており、全てのロックギヤ５の凹部５２は決められた同じ角度位置に常に位置しているので、全ての検出片９１の先端部９１ａが対応するロックギヤ５の凹部５２に嵌り込んだ状態にあり、規制片９２は係合部２５と係合せず、アクチュエータ２の作動規制は解除されている（図３参照）。
【００５６】
上記した構成の符号錠装置において、切換機構８の撮み軸８２を円弧状の摺動溝８１の固定端８１ａに位置させるとき、カム８３の押圧面８３ａが前部ブッシュ３０の当たり面３９に当接して前部ブッシュ３０を押圧することにより作動軸３を往動させたときの状態に保持するので、予め決められた解錠符号列の記憶を保持する「固定方式」に設定される（図２０（２）および図２１（２）参照）。
【００５７】
一方、撮み軸８２を摺動溝８１に沿って摺動させて摺動溝８１の自在端８１ｂに位置させるとき、カム８３の押圧解除面８３ｂが前部ブッシュ３０の当たり面３９に対向し、前部ブッシュ３０に対する押圧面８３ａによる押圧を解除し、作動軸３の復動を可能とするので、解錠操作によって解錠符号列の記憶が解除される「自在方式」に設定される（図２０（１）および図２１（１）参照）。
【００５８】
この「自在方式」が設定された状態から「固定方式」に切り換える場合、撮み軸８２を摺動溝８１の自在端８１ｂから固定端８１ａに向けて摺動溝８１に沿って９０度摺動させると、駆動軸８４と一体にカム８３が軸回転し、この軸回転に伴って押圧面８３ａが前部ブッシュ３０の当たり面３９を押し、前部ブッシュ３０をアクチュエータ２に対して反対方向へ強制移動させる。前部ブッシュ３０が移動すると、作動軸３が圧縮バネ３６のバネ力に抗して変位するとともに、先頭のロックギヤ５が前部ブッシュ３０の後端部により押され、これと連なった他のロックギヤ５も押されることにより、全てのロックギヤ５が一斉にアクチュエータ２に対して反対方向へ変位する。これにより、各ロックギヤ５が各ダイヤル４と噛み合って係わり合い、解錠符号列が記憶される。それ以後は、前部ブッシュ３０および作動軸３はアクチュエータ２側へ変位することなく、各ダイヤル４と各ロックギヤ５とが噛み合った状態が維持されるため、解錠符号列の記憶が保持される。
【００５９】
次に、「固定方式」が設定された状態から「自在方式」に切り換える場合、撮み軸８２を摺動溝８１の固定端８１ａから自在端８１ｂに向けて摺動溝８１に沿って９０度摺動させると、駆動軸８４と一体にカム８３が軸回転し、軸回転に伴って押圧解除面８３ｂが前部ブッシュ３０の当たり面３９と対向するので、前部ブッシュ３０は押圧面８３ａによる押圧力から解放され、作動軸３は前部ブッシュ３０とともに圧縮バネ３６のバネ力により押されてアクチュエータ２の側へ変位する。作動軸３がアクチュエータ２側へ変位すると、各ロックギヤ５は、その後端部が作動軸３の各仕切板３２〜３５によりそれぞれ押されることにより、アクチュエータ２の側へ一斉に変位し、各ダイヤル４から離れて各ダイヤル４との噛み合いが外れるため、解錠符号列の記億の保持が解除される。
【００６０】
上記した「固定方式」と「自在方式」との切換時に、撮み軸８２を操作して摺動溝８１を摺動させると、合成樹脂板８７の板バネ部材８８ａ，８８ｂが弾性変形した状態で先端部の係合凸部８９ａ，８９ｂが周回ガイド１０１に当接して摺動するもので、係合凸部８９ａ，８９ｂに板バネ部材８８ａ，８８ｂの復元力が作用し、撮み軸８２の操作に適度な負荷が掛かる。撮み軸８２が摺動溝８１の自在端８１ｂまたは固定端８１ａに達したとき、係合凸部８９ａ，８９ｂが係合凹部１０２ａまたは１０２ｂに係入するので、撮み軸８２がその位置で定位し、撮み軸８２が動いてカム８３が不用意に回動することがない。
【００６１】
つぎに上記した構成の符号錠装置について、図３〜図１０に従って施錠操作時および解錠操作時の一連の動作を説明する。
【００６２】
まず、「自在方式」に設定された状態下での施錠操作時の動作を説明すると、符号錠装置が図３および図４に示された「開状態」にあるとき、作動軸３は、先端部の前部ブッシュ３０が外筒２１ｂの凹面２３に嵌まってアクチュエータ２の側へ変位した状態にある。この状態では、作動軸３上の各ダイヤル４は各ロックギヤ５との係わりが切れた回動自由な状態にあり、解錠符号を自在に設定することが可能である。
【００６３】
この状態においては、全てのロックギヤ５の凹部５２が決められた同じ角度位置にあり、ロック機構９の全ての検出片９１の先端部９１ａが前記凹部５２と係合するので、回動軸９３が所定の方向に回動した状態にあり、規制片９２と係合部２５との係合が外れ、符号錠装置は施錠操作が可能な状態に設定される。
【００６４】
各ダイヤル４を回動操作して任意の解錠符号列（例えば、「１１１１」）を設定した後、撮み２０を回動操作すると、アクチュエータ２の筒状体２１が回動し、前部ブッシュ３０が筒状体２１の外筒２１ｂの外周面の凸面２４に乗り上がり、作動軸３がアクチュエータ２に対して反対方向に移動する結果、各ロックギヤ５が各ダイヤル４と噛み合い、解錠符号列が記憶される（図５および図６参照）。この段階で各ロックギヤ５と各ダイヤル４とは一体回動が可能な状態になっている。
【００６５】
その後、各ダイヤル４の回動操作により解錠符号列を適当に崩すと、ロック機構９の全ての検出片９１の先端部９１ａと前記凹部５２との係合が外れ、回動軸９３が所定の方向に回動した状態になるので、規制片９２が係合部２６に係合し、解錠操作に伴うアクチュエータ２の回動が規制されて、施錠状態になる。
【００６６】
次に、解錠操作時の動作について説明すると、まず、各ダイヤル４を回動操作して前記の解錠符号列（「１１１１」）を揃えると、全てのロックギヤ５の凹部５２が決められた同じ角度位置に来るので、ロック機構９の全ての検出片９１の先端部９１ａが前記凹部５２と係合し、回動軸９３の回動に伴って規制片９３と係合部２６との係合が外れ（図５参照）、解錠操作に伴うアクチュエータ２の回動が許容されるため、符号錠装置は解錠操作が可能な状態に設定される。
【００６７】
撮み２０を前記とは逆方向へ回動操作すると、アクチュエータ２の筒状体２１が回動し、前部ブッシュ３０が筒状体２１の外筒２１ｂの凹面２３に嵌まって作動軸３が圧縮バネ３６のバネ力によりアクチュエータ２の側へ移動する結果、各ロックギヤ５と各ダイヤル４との噛み合いが外れ、解錠符号列の記憶が解除される（図３および図４参照）。このとき、各ダイヤル４は単独で回動が可能な状態、すなわち、解錠符号の設定が可能な状態になっている。
【００６８】
つぎに、「固定方式」に設定された状態下での施錠操作時の動作について説明すると、符号錠装置が図７および図８に示された「開状態」にあるとき、各ダイヤル４のダイヤル操作面４２を回動操作して、定められた解錠符号列を整列させると、全てのロックギヤ５の凹部５２が決められた同じ角度位置に来るので、ロック機構９の全ての検出片９１の先端部９１ａが前記凹部５２と係合し、回動軸９３の回動により規制片９３と係合溝２５との係合が外れる（図７参照）。これにより施錠操作に伴うアクチュエータ２の回動が許容されるため、符号錠装置は施錠操作が可能な状態に設定される。
【００６９】
撮み２０を回動操作した後、各ダイヤル４の回動操作により解錠符号列を適当に崩すと、ロック機構９の全ての検出片９１の先端部９１ａと対応するロックギヤ５の凹部５２との係合が外れるので、回動軸９３が所定の方向に回動して規制片９２が係合部２６に係合し、解錠操作に伴うアクチュエータ２の回動が規制されて、施錠状態になる。
【００７０】
つぎに、解錠操作時の動作について説明すると、符号錠装置が「施錠状態」にあるとき、各ダイヤル４のダイヤル操作面４２を回動操作して、解錠符号列を整列させると、全てのロックギヤ５の凹部５２が決められた同じ角度位置に来るので、ロック機構９の全ての検出片９１の先端部９１ａが対応するロックギヤ５の凹部５２と係合し、回動軸９３が回動して規制片９３と係合部２６との係合が外れ（図９参照）、解錠操作に伴うアクチュエータ２の回動が許容されるため、符号錠装置は解錠操作が可能な状態に設定される。
【００７１】
撮み２０を前記とは逆方向へ回動操作すると、掛止片１が受け金具１０より外れた「開状態」となるが、前部ブッシュ３０および作動軸３はアクチュエータ２の側へ移動することはなく、各ロックギヤ５と各ダイヤル４との噛み合いが維持されるので、解錠操作があっても解錠符号列が記憶されたままの状態に保持される（図７および図８参照）。
【図面の簡単な説明】
【００７２】
【図１】この発明の実施例である符号錠装置の外観を示す平面図である。
【図２】図１の実施例の底面図である。
【図３】自在方式に設定された状態下での符号錠装置の開状態のときの内部機構の状態を示す水平断面図である。
【図４】図３の縦断面図である。
【図５】自在方式に設定された状態下での符号錠装置の閉状態のときの内部機構の状態を示す水平断面図である。
【図６】図５の縦断面図である。
【図７】固定方式に設定された状態下での符号錠装置の開状態のときの内部機構の状態を示す水平断面図である。
【図８】図７の縦断面図である。
【図９】固定方式に設定された状態下での符号錠装置の閉状態のときの内部機構の状態で示す水平断面図である。
【図１０】図９の縦断面図である。
【図１１】前部ブッシュの構成を示す縦断面図である。
【図１２】図１１のＡ−Ａ線に沿う断面図である。
【図１３】ダイヤルの一方の側面図である。
【図１４】ダイヤルの他方の側面図である。
【図１５】ダイヤルの正面図である。
【図１６】ロックギヤの一方の側面図である。
【図１７】ロックギヤの他方の側面図である。
【図１８】ロックギヤの正面図である。
【図１９】図１６のＢ−Ｂ線に沿うロックギヤの断面図である。
【図２０】切換機構の構成および動作を拡大して示す正面図である。
【図２１】カムの動作を示す水平断面図である。
【図２２】切換保持機構の構成および動作を示す平面図である。
【図２３】周回ガイドの構成を示す平面図である。
【図２４】駆動プレートの構成を示す底面図である。
【図２５】合成樹脂板の構成を示す底面図である。
【図２６】ロックプレートの正面図である。
【図２７】ロック機構の動作を示す説明図である。
【図２８】ロック機構の動作を示す説明図である。
【符号の説明】
【００７３】
３    作動軸
４    ダイヤル
５    ロックギヤ
６    記憶機構
７    解錠符号列の記憶機構
８    切換機構
１２  筐体
１８  底板部
３０  前部ブッシュ
８１  摺動溝
８２  撮み軸
８３  カム
８３ａ  押圧面
８３ｂ  押圧解除面
８５  駆動プレート
８８ａ，８８ｂ  板バネ部材
８９ａ，８９ｂ  係合凸部
１０１  周回ガイド
１０２ａ，１０２ｂ，１０３ａ，１０３ｂ  係合凹部
【図１】
2010037816.tif 000003
【図２】
2010037816.tif 000004
【図３】
2010037816.tif 000005
【図４】
2010037816.tif 000006
【図５】
2010037816.tif 000007
【図６】
2010037816.tif 000008
【図７】
2010037816.tif 000009
【図８】
2010037816.tif 000010
【図９】
2010037816.tif 000011
【図１０】
2010037816.tif 000012
【図１１】
2010037816.tif 000013
【図１２】
2010037816.tif 000014
【図１３】
2010037816.tif 000015
【図１４】
2010037816.tif 000016
【図１５】
2010037816.tif 000017
【図１６】
2010037816.tif 000018
【図１７】
2010037816.tif 000019
【図１８】
2010037816.tif 000020
【図１９】
2010037816.tif 000021
【図２０】
2010037816.tif 000022
【図２１】
2010037816.tif 000023
【図２２】
2010037816.tif 000024
【図２３】
2010037816.tif 000025
【図２４】
2010037816.tif 000026
【図２５】
2010037816.tif 000027
【図２６】
2010037816.tif 000028
【図２７】
2010037816.tif 000029
【図２８】
2010037816.tif 000030